(57)【特許請求の範囲】
【請求項１】
４チャンネルのデジタルのオーディオデータを、ディスク状の記録媒体から２チャンネルのオーディオセクタを備えた磁気テープに転送記録するデータ転送記録装置において、
前記ディスク状の記録媒体から再生された素材の４チャンネルのオーディオデータを２チャンネルずつ２組に分割し、前記オーディオセクタの第１の領域に一方の組のオーディオデータを記録し、前記第１の領域に続く第２の領域に他方の組のオーディオデータを記録する記録制御手段と
を有するデータ転送記録装置。
【請求項２】
前記記録制御手段は、前記再生された素材のビデオデータを、前記オーディオセクタの前記第１の領域および第２の領域に対応したビデオセクタの領域に、繰り返して記録する
請求項１に記載のデータ転送記録装置。
【請求項３】
前記記録制御手段は、前記再生された素材のビデオデータを前記オーディオセクタの前記第１の領域に対応したビデオセクタの領域に記録し、次の素材のビデオデータを前記オーディオセクタの第２の領域に対応したビデオセクタの領域に記録する
請求項１に記載のデータ転送記録装置。
【請求項４】
前記記録制御手段は、前記磁気テープのオーディオセクタに隣接して記録される異なる素材のオーディオデータ相互間に、後方のオーディオデータと同じサンプリング周波数の信号が記録された糊代部分を設ける請求項１に記載のデータ転送記録装置。
【請求項５】
前記磁気テープに記録された２チャンネルのオーディオデータから４チャンネルのオーディオデータを復元して、前記ディスク状の記録媒体に転送記録する請求項１に記載のデータ転送記録装置。
【請求項６】
前記オーディオデータを前記ディスク状の記録媒体に転送記録した後に、当該記録されたオーディオデータを読み出し、素材の記録開始および終了点にクロスフェード処理あるいはフェードイン／フェードアウト処理し、この処理したオーディオデータを前記ディスク状の記録媒体に書き込むディスク制御手段をさらに有する
請求項５に記載のデータ転送記録装置。
【請求項７】
前記ディスク状の記録媒体は、ハードディスクである請求項１に記載のデータ転送記録装置。
【請求項８】
４チャンネルのデジタルのオーディオデータを、ディスク状の記録媒体から２チャンネルのオーディオセクタを備えた磁気テープに転送記録するデータ転送記録装置において、
前記ディスク状の記録媒体から再生された素材の４チャンネルのオーディオデータを２チャンネルずつ２組に分割し、前記オーディオセクタの第１の領域に一方の組のオーディオデータを記録し、前記第１の領域に続く第２の領域に他方の組のオーディオデータを記録する
データ転送記録方法。
【請求項９】
前記再生された素材のビデオデータを、前記オーディオセクタの前記第１の領域および第２の領域に対応したビデオセクタの領域に、繰り返して記録する
請求項８に記載のデータ転送記録方法。
【請求項１０】
前記再生された素材のビデオデータを前記オーディオセクタの前記第１の領域に対応したビデオセクタの領域に記録し、次の素材のビデオデータを前記オーディオセクタの第２の領域に対応したビデオセクタの領域に記録する
請求項８に記載のデータ転送記録方法。
【発明の詳細な説明】
【０００１】
【発明の属する技術分野】
本発明は、例えばハードディスクに記録されたデータをＶＴＲ装置を用いて磁気テープに転送記録できるデータ転送記録装置およびその方法に関する。
【０００２】
【従来の技術および発明が解決しようとする課題】
近年、ハードディスクなどに記録された映像データを用いて編集を行う編集システムが開発されている。
このような編集システムでは、安価なＶＴＲテープなどから映像データをハードディスクに転送して、ハードディスクにノンリニア（ランダム）アクセスを行いながら編集作業を行う。
ところで、このような編集システムでは、ユーザが編集途中の映像データを他の編集システム上で編集しようとする場合やバックアップ機能を実現する場合に、ストリーマなどの専用機を特別に付加する必要があり、高価格化するという問題がある。
【０００３】
本発明は、上述した従来技術に鑑みてなされ、例えばハードディスクに記録されたデータをＶＴＲ装置の磁気テープに安価に転送記録できるデータ転送記録装置およびその方法を提供することを目的とする。
【０００４】
【課題を解決するための手段】
上述した従来技術の問題点を解決し、上述した目的を達成するために、本発明のデータ転送記録装置は、４チャンネルのデジタルのオーディオデータを、ディスク状の記録媒体から２チャンネルのオーディオセクタを備えた磁気テープに転送記録するデータ転送記録装置であって、前記ディスク状の記録媒体から再生された素材の４チャンネルのオーディオデータを２チャンネルずつ２組に分割し、前記オーディオセクタの第１の領域に一方の組のオーディオデータを記録し、前記第１の領域に続く第２の領域に他方の組のオーディオデータを記録する記録制御手段とを有する。
【０００５】
本発明のデータ転送記録装置では、ハードディスクなどのディスク状の記録媒体に記録された４チャンネルのオーディオデータは、そのままの形式では、２チャンネルのオーディオセクタしか備えていない磁気テープには記録できないため、４チャンネルのオーディオデータを２チャンネルずつ２組に分割して、磁気テープのオーディオセクタに記録する。
一方、ビデオデータを、前記オーディオセクタの前記第１の領域および第２の領域に対応したビデオセクタの領域に、繰り返して記録することで、オーディオデータとの対応がとりやすく管理が容易になる。
また、オーディオセクタの前記第１の領域に対応したビデオセクタの領域に記録し、次の素材のビデオデータを前記オーディオセクタの第２の領域に対応したビデオセクタの領域に記録すれば、磁気テープの記録効率を高めることができる。
【０００６】
【発明の実施の形態】
以下、本発明のデータ転送記録装置の実施形態に係わるに編集装置について説明する。
図１は、本実施形態の編集装置１０の構成図である。
本実施形態の編集装置の構成について図１を用いて詳細に説明する。図１において、編集装置１０には、編集される素材が記録された磁気テープを再生したり、素材の記録された磁気テープに新たな素材をつなぎ録りするビデオテープレコーダ（以下「ＶＴＲ」という）５０が接続される。
【０００７】
編集装置１０は、システム制御部１２、ＶＴＲ／ＤＩＳＫ制御部１４、ディスク制御部１６、ＳＤＤＩインタフェース部１８、ディスクユニット２０、操作部２５および表示部３０から構成される。
【０００８】
編集装置１０のシステム制御部１２では同期信号ＳＣが生成されて、この同期信号ＳＣがＶＴＲ／ＤＩＳＫ制御部１４、ディスク制御部１６、ＳＤＤＩインタフェース部１８に供給されることにより、それぞれの動作が同期して行われる。また同期信号ＳＣがＶＴＲ５０に供給されて、ＶＴＲ５０の動作も編集装置１０と同期して行われる。
【０００９】
この編集装置１０では、ユーザは操作部２５を操作することで入力コマンドに応じた操作信号ＰＣがシステム制御部１２に供給されると共に、システム制御部１２では操作信号ＰＣに基づき制御信号ＣＴが生成されて編集装置１０やＶＴＲ５０の動作が制御される。また、システム制御部１２から表示信号ＤＰが表示部３０に供給されて編集装置１０やＶＴＲ５０の動作状態等が表示部３０に表示される。
【００１０】
ＶＴＲ／ＤＩＳＫ制御部１４は、システム制御部１２から制御信号ＣＴを入力し、この制御信号ＣＴを９ピンコマンドに変換して操作信号ＣＴＶを生成し、この操作信号ＣＴＶによってＶＴＲ５０を制御する。また、ＶＴＲ／ＤＩＳＫ制御部１４は、制御信号ＣＴによって、ディスク制御部１６を同期処理させる。また、ＳＤＤＩインタフェース部１８は、ディスク制御部１６からの制御信号に基づいて、ＳＤＤＩに出力するオーディオデータを制御する。また、ＳＤＤＩインタフェース部１８は、ディスク制御部１６を介してディスクユニット２０からの音声データを入力し、この音声データをＳＤＤＩケーブルを介してＶＴＲ５０にフレームサイズで記録する。
【００１１】
次に、ＶＴＲ／ＤＩＳＫ制御部１４の構成について説明する。
図２は、ＶＴＲ／ＤＩＳＫ制御部１４の構成図である。
図２に示すように、システム制御部１２からの同期信号ＳＣはＶＴＲ制御ＣＰＵブロック１４１に供給される。またシステム制御部１２から供給された制御信号ＣＴは、デュアルポートＲＡＭ１４２を介してＶＴＲ制御ＣＰＵブロック１４１に供給されると共に、後述するディスク制御部１６に供給される。ＶＴＲ制御ＣＰＵブロック１４１は中央演算処理回路（以下「ＣＰＵ」という）１４１ａとＲＯＭ１４１ｂおよびＲＡＭ１４１ｃから構成されており、制御信号ＣＴに基づいてＶＴＲ５０を制御するための制御信号ＣＴＶが生成される。この生成された制御信号ＣＴＶは同期信号ＳＣと同期するものであり、例えばＲＳ−４２２規格等のインタフェース１４３ａ，１４３ｂを介してＶＴＲ５０に供給される。
【００１２】
図２に示すＶＴＲ制御ＣＰＵブロック１４１は、図１に示すシステム制御部１２から記録命令あるいはアセンブル命令を入力すると、現在位置から磁気テープに後述する図８、図９に示すフォーマットでデジタルデータをデジタル記録する。
【００１３】
次に、ディスク制御部１６について説明する。
図３は、ディスク制御部１６の構成図である。
図３に示すように、ディスク制御部１６は、バスタイミング制御部１６１、ディスク制御ＣＰＵブロック１６２、デュアルポートＲＡＭ１６３、ＳＰＣ１６４およびバッファＲＡＭ１６５を有する。
図３に示すように、同期信号ＳＣはバスタイミング制御部１６１とディスク制御ＣＰＵブロック１６２に供給される。ＶＴＲ／ＤＩＳＫ制御部１４からの制御信号ＣＴは、デュアルポートＲＡＭ１６３を介してディスク制御ＣＰＵブロック１６２に供給される。ディスク制御ＣＰＵブロック１６２はＣＰＵ１６２ａとＲＯＭ１６２ｂおよびＲＡＭ１６２ｃから構成されており、制御信号ＣＴに基づきディスクユニット２０を制御するための制御信号ＣＴＤが生成されてＳＣＳＩ(Small Computer System Interface) プロトコルコントローラ（以下「ＳＰＣ」という）１６４に供給される。ＳＰＣ１６４ではディスク制御ＣＰＵブロック１６２からの制御信号ＣＴＤに基づきＳＣＳＩ規格の制御信号ＣＴＳが生成されてディスクユニット２０に供給される。
【００１４】
また、ディスク制御ＣＰＵブロック１６２では、バスタイミング制御信号ＣＢＵが生成されてバスタイミング制御部１６１に供給される。このバスタイミング制御部１６１には、アドレス／コントロールバス１７１とデータバス１７２が接続されており、アドレス／コントロールバス１７１やデータバス１７２を介しての信号の転送はバスタイミング制御部１６１によって制御される。
【００１５】
このアドレス／コントロールバス１７１とデータバス１７２はバッファＲＡＭ１６５と接続される。また、バッファＲＡＭ１６５はＳＰＣ１６４と接続されており、データバス１７２とＳＰＣ１６４間で転送されるデータ信号がバッファＲＡＭ１６５に一時保持されると共に、保持されたデータ信号を用いて後述するクロスフェード処理あるいはフェードアウト／フェードイン処理で用いられるデータ信号がディスク制御ＣＰＵブロック１６２で生成される。具体的には、ディスク制御ＣＰＵブロック１６２は、ディスクユニット２０からのオーディオデータをＳＰＣ１６４からバッファＲＡＭ１６５に転送させ、このオーディオデータを演算処理した後に、バッファＲＡＭ１６５からディスクユニット２０に再書き込みする。このとき、オーディオデータの演算処理としては、例えばノイズ発生を抑制するためのクロスフェード処理あるいはフェードアウト／フェードイン処理が行われる。これに対して、ビデオデータは、予めフレーム単位で区切られているため、ノイズ発生の問題は生じない。このクロスフェード処理およびフェードアウト／フェードイン処理については、後に詳細に説明する。
【００１６】
データ記録手段であるディスクユニット２０では、制御信号ＣＴＳに基づきバッファＲＡＭ１６５およびＳＰＣ１６４を介して供給されたデータ信号ＤＷの記録が行われたり、あるいはディスクユニット２０から読み出されたデータ信号ＤＲがＳＰＣ１６４、バッファＲＡＭ１６５を介してデータバス１７２に転送される。
【００１７】
なお、ディスク制御ＣＰＵブロック１６２では、ＳＤＤＩインタフェース部１８を制御するための制御信号ＣＳＤも生成される。
【００１８】
次に、ＳＤＤＩインタフェース部１８の構成について説明する。
図４は、ＳＤＤＩインタフェース部１８の構成図である。
ディスク制御部１６から供給された制御信号ＣＳＤはインタフェースＣＰＵブロック１８１に供給される。また、システム制御部１２から供給された同期信号ＳＣは、インタフェースＣＰＵブロック１８１およびヘッダ処理部１８４に供給される。なお、インタフェースＣＰＵブロック１８１はＣＰＵ１８１ａとＲＯＭ１８１ｂやＲＡＭ１８１ｃおよびインタリーブ／デインタリーブ用ＲＯＭ１８１ｄで構成される。
【００１９】
ディスク制御部１６のバスタイミング制御部１６１に接続されたアドレス／コントロールバス１７１およびデータバス１７２には、サイズ合わせ用ＲＡＭ１８２が接続される。このサイズ合わせ用ＲＡＭ１８２には、オーディオデータ処理部１８３とインタフェースＣＰＵブロック１８１が接続される。オーディオデータ処理部１８３にはヘッダ処理部１８４が接続されておりヘッダ処理部１８４にはＳ／Ｐ（serial-to-parallek）変換部１８５およびＰ／Ｓ（parallel-to-serial）変換部１８６が接続される。Ｓ／Ｐ変換部１８５はＳＤＤＩインタフェース１８７を介してＶＴＲ５０に接続されると共に、Ｐ／Ｓ変換部１８６はＳＤＤＩインタフェース１８８を介してＶＴＲ５０に接続される。
【００２０】
ここで、図５を使用してＳＤＤＩインタフェース１８７，１８８で用いられるＳＤＤＩ(Serial Digital Data Interface) フォーマットについて説明する。図５（Ａ）はＳＤＤＩフォーマットの全体構成、図５（Ｂ）はＳＤＤＩフォーマットの伝送用パケットの構成を示している。
【００２１】
５２５／６０方式のビデオ信号の場合、ＳＤＤＩフォーマットのビデオデータは、水平方向に１ライン当たり、（４＋２６８＋４＋１４４０）＝１７１６ワード、垂直方向に５２５ラインで構成される。なお、図５（Ａ），（Ｂ）において、括弧内の数字は、６２５／５０方式（ＰＡＬ方式）のビデオデータの数値を示しており、ＳＤＤＩフォーマットのディジタルビデオ信号は、水平方向に１ライン当たり、（４＋２８０＋４＋１４４０）＝１７２８ワード、垂直方向に６２５ラインで構成される。ここで、１ワードは１０ビットである。
【００２２】
各ラインについて、第１ワードから第４ワードまでの４ワードは、後述するペイロード部ＰＡＤの終了を示し、ペイロード部ＰＡＤと後述するアンシラリデータ部ＡＮＣとを分離する符号ＥＡＶを格納する領域として用いられる。４ワードの符号ＥＡＶは、３ＦＦｈ（ｈは１６進数であることを示す符号）、０００ｈ，０００ｈ，ＸＹＺｈ（ＸＹＺは任意のデータ）である。
【００２３】
また、各ラインについて、第５ワードから第２７２ワードまでの２６８ワードは、ＳＤＤＩフォーマット特有のアンシラリデータ部ＡＮＣとして用いられ、後述するヘッダや補助データ等が格納される。
【００２４】
また、各ラインについて、第２７３ワードから第２７６ワードまでの４ワードは、ペイロード部ＰＡＤの開始を示し、ペイロード部ＰＡＤとアンシラリデータ部ＡＮＣとを分割する符号ＳＡＶを格納する領域として用いられる。４ワードの符号ＳＡＶは、３ＦＦｈ，０００ｈ，０００ｈ，ＸＹＺｈ（ＸＹＺは任意のデータ）であり、最初の３ワードは上述した符号ＥＡＶと同じである。
【００２５】
また、各ラインについて、第２７７ワードから第１７１６ワードの１４４０ワードは、ペイロード部ＰＡＤとして用いられ、ビデオデータやオーディオデータが格納される。
【００２６】
この１０ビットのパラレルの信号の伝送は、Ｐ／Ｓ変換および伝送路符号化が行われて、伝送速度が２７０Ｍｂｐｓのシリアルデータとして伝送される。
【００２７】
図４において、ＳＤＤＩフォーマットの信号ＳＤＡがＶＴＲ５０からＳＤＤＩインタフェース１８７を介してＳ／Ｐ変換部１８５に供給されると、Ｓ／Ｐ変換部１８５ではシリアルデータの信号ＳＤＡがパラレルデータに変換されてヘッダ処理部１８４に供給される。ヘッダ処理部１８４では、Ｓ／Ｐ変換部１８５からのパラレルデータからアンシラリデータ部ＡＮＣのヘッダ等の情報を示すデータを分離して、ペイロード部ＰＡＤのビデオデータやオーディオデータがオーディオデータ処理部１８３に供給される。オーディオデータ処理部１８３ではペイロード部ＰＡＤのデータからオーディオデータが分離されると共に、インタフェースＣＰＵブロック１８１のインタリーブ／デインタリーブ用ＲＯＭ１８１ｄのデータに基づきオーディオデータのデインタリーブ処理が行われる。このデインタリーブ処理が行われたオーディオデータはサイズ合わせ用ＲＡＭ１８２に書き込まれる。さらに、サイズ合わせ用ＲＡＭ１８２に書き込まれたオーディオデータは、アドレス／コントロールバス１７１からの信号に基づいて読み出されて、データバス１７２を介してディスク制御部１６に供給される。
【００２８】
またディスク制御部１６からオーディオデータが供給されたときには、このオーディオデータがサイズ合わせ用ＲＡＭ１８２に書き込まれると共に、インタフェースＣＰＵブロック１８１のインタリーブ／デインタリーブ用ＲＯＭ１８１ｄのデータに基づき、サイズ合わせ用ＲＡＭ１８２に書き込まれたデータの読み出しが制御されてインタリーブ処理が行われる。このとき、ＣＰＵ１８１ａにおいて、同期信号ＳＣ（フレームパルス）を基準としてフレーム期間が検出され、そのフレーム期間に入力したデータに対して、前フレームに連続して所定量のインタリーブ処理が行われる。
【００２９】
このインタリーブ処理されたオーディオデータはオーディオデータ処理部１８３に供給されてビデオデータと混合されてヘッダ処理部１８４に供給される。ヘッダ処理部１８４では、ビデオデータやオーディオデータにヘッダ情報等が付加されてパラレルのＳＤＤＩフォーマットの信号とされてＰ−Ｓ変換部１８６に供給される。Ｐ／Ｓ変換部１８６では、パラレルデータがシリアルデータに変換されて、信号ＳＤＢとしてＳＤＤＩインタフェース１８８を介してＶＴＲ５０に供給される。
【００３０】
次に、ＶＴＲ５０の構成について説明する。
図６は、ＶＴＲ５０の構成図である。
なお、ＶＴＲ５０は４系統の処理回路を有するもので、４系統の処理回路の信号を切り替えることにより４倍速で記録や再生を行うことができるようになされたものである。なお、以下の説明では１系統の処理回路についてのみ説明するものとする。
【００３１】
磁気テープに記録されている信号は再生ヘッド５１によって読み出されて再生アンプ５２で増幅されてイコライザ５３に供給される。イコライザ５３では高周波帯域の損失が補償される。このイコライザ５３で補償された信号はＰＬＬ回路５４に供給される。ＰＬＬ回路５４では、信号抽出のためのクロック信号が生成されて、このクロック信号に基づき抽出された信号がＡ／Ｄ変換器５５でディジタルのデータ信号とされてヘッド切替部５６に供給される。ヘッド切替部５６には、他の３系統の処理回路からデータ信号が供給される。ヘッド切替部５６には４系統のチャネルコーディング部が接続されており、これらのチャネルコーディング部に供給するデータ信号の切替が後述する制御部７０からの制御信号ＣＲに基づいて行われる。
【００３２】
チャネルコーディング部５７では、ヘッド切替部５６からのデータ信号に基づいて再生データ信号が生成される。この再生データ信号は誤り訂正部５８で誤り訂正処理されて正しい再生データ信号ＤＲとされてＳＤＤＩインタフェース処理部５９に供給される。
【００３３】
ＳＤＤＩインタフェース処理部５９には他の３系統の再生データ信号が供給されており、これら４系統の再生データ信号に対してヘッダ情報等が付加されてシリアルデータの信号ＳＤＡとされて編集装置１０に供給される。
【００３４】
編集装置１０からＶＴＲ５０に供給された信号ＳＤＲは、ＳＤＤＩインタフェース処理部６１に供給されて、パラレルデータに変換された後、各系統のビデオやオーディオのデータ信号が分離され、各系統の誤り訂正情報付加部６２に供給される。誤り訂正情報付加部６２では供給されたオーディオデータに誤り訂正用のパリティが付加される。このパリティが付加されたデータ信号はチャネルコーディング部６３に供給される。チャネルコーディング部６３では、例えばスクランブルド・インタリーブドＮＲＺＩ方式でデータ信号が記録信号に変換されてヘッド切替部６４に供給される。ヘッド切替部６４には、他の３系統の処理回路から記録信号が供給されており、接続されている４系統の記録アンプに供給される記録信号に切替が後述する制御部７０からの制御信号ＣＷに基づいて行われる。このヘッド切替部６４から記録アンプ６５を介して記録ヘッド６６に記録信号が供給されることにより、データが磁気テープに記録される。
【００３５】
制御部７０には、編集装置１０から制御信号ＣＴＶおよび同期信号ＳＣが供給されており、この制御信号ＣＴＶに基づき再生制御信号ＣＲあるいは記録制御信号ＣＷが生成される。この再生制御信号ＣＲがヘッド切替部５６やチャネルコーディング部および誤り訂正部等の再生処理用の回路に供給されて再生動作が編集装置１０の動作に同期して行われる。また、記録制御信号ＣＷが情報付加部やチャネルコーディング部およびヘッド切替部６４等の記録処理用の回路に供給されて記録動作が編集装置１０の動作に同期して行われる。なお、制御部７０では、ＶＴＲメカ部７１の動作を制御する制御信号ＣＭも生成される。
【００３６】
次に、上述したＶＴＲ５０で用いられる１／４インチ磁気テープのテープフォーマットを説明する。
図７は、この磁気テープのテープフォーマットを説明するための図である。
図７において、磁気テープ１の中央には回転ヘッドによって傾斜トラックＲＴが生成される。この傾斜トラックＲＴは、ディジタルのオーディオデータが記録されたオーディオセクタＴＡとビデオデータが記録されたビデオセクタＴＶとサブコードが記録されたサブコードセクタＴＳＣを有している。
【００３７】
図８（Ａ），（Ｂ），（Ｃ）は、オーディオセクタＴＡ、ビデオセクタＴＶ、およびサブコードセクタＴＳＣに記録されたデータの構成を示しており、データはシンクブロックと呼ばれる小単位に分割されて記録される。
【００３８】
まず、オーディオセクタＴＡに記録されるデータは、図８（Ａ）に示すように、シンクブロック長が８５（７７＋８）バイトとされた１４のシンクブロックで構成される。このシンクブロックのうち、９シンクロブロックには、７７バイトのオーディオデータが記録されている。また、５シンクロブロックには、７７バイトのアウターパリティが記録されている。さらに、１４シンクロブロックには、８バイトのインナーパリティが記録されている。
【００３９】
次に、ビデオセクタＴＶに記録されるデータは、図８（Ｂ）に示すように、シンクブロック長が８５（７７＋８）バイトとされた１４９（１３８＋１１）のシンクブロックで構成される。このシンクブロックのうち、１３８シンクロブロックには、７７バイトのビデオデータが記録されている。また、１１シンクロブロックには、７７バイトのアウターパリティが記録されている。さらに、１４９シンクロブロックには、８バイトのインナーパリティが記録されている。
【００４０】
次に、サブコードセクタＴＳＣに記録されたデータは、図８（Ｃ）に示すように、１２シンクロブロックに、５バイトのサブコードと、２バイトのインナーパリティが記録されている。
【００４１】
このように１トラックの信号が構成されており、磁気テープに記録される信号が、例えば５２５／６０方式（ＮＴＳＣ方式）の信号である場合には、１０本の傾斜トラックＲＴの信号で１フレームの画像が形成される。
また、４８ＫＨｚ／１６ビットのオーディオデータは、１フレームのうち前半の５トラックにチャンネルＣＨ１がインターリーブされ、後半の５トラックにチャンネルＣＨ２がインターリーブされる。
【００４２】
以下、前述した図１におけるＶＴＲ／ＤＩＳＫ制御部１４における処理を詳細に説明する。
図９は、図１におけるＶＴＲ／ＤＩＳＫ制御部１４における処理を詳細に説明するための図である。
図９（Ａ）は、ディスクユニット２０のハードディスクに記録された素材の内容の模式図である。
図９（Ａ）に示すように、ディスクユニット２０のハードディスクには、「素材１」、「素材２」、「素材３」、．．、「素材Ｎ」が順に記録してある。
【００４３】
「素材１」は、同じ記録時間のビデオデータＶ（１）と４８ｋＨｚ／１６ビットの４ＣＨ（チャンネル、ｃｈ１，ｃｈ２，ｃｈ３，ｃｈ４）のオーディオデータＡ１（１）、Ａ２（１）、Ａ３（１）およびＡ４（１）と、さらに先頭に付加された糊代部８０とで構成される。
ここで、糊代部８０は、再生装置がＰＬＬを正しくロックさせた状態でオーディオデータを再生するために、再生素材の再生に先立って再生素材のサンプリング周波数を再生装置に前もって知らせるために用いられる。従って、糊代部８０は、それに続く再生素材と同じサンプリング周波数の素材データである。
【００４４】
「素材２」は、ビデオデータＶ（２）と、このビデオデータＶ（２）より記録時間の長い２ＣＨのオーディオデータＡ１（２）およびＡ２（２）とで構成される。「素材２」の先頭には、糊代部は設けられていない。これは、例えば、編集処理において付された編集点が、記録データの頭に設定された場合や、十分な面積の糊代部を設けられない位置に設定された場合である。
「素材３」は、ビデオデータＶ（３）と、このビデオデータＶ（３）より記録時間の短い２ＣＨのオーディオデータＡ１（３）およびＡ２（３）と、先頭の糊代部８８とで構成される。「素材Ｎ」は、「素材３」と同じ構成をしている。
【００４５】。
以下、図９（Ａ）に示すディスクユニット２０の記録データをＶＴＲ５０の磁気テープに記録する際のＶＴＲ／ＤＩＳＫ制御部１４による処理を説明する。
先ず、磁気テープに、ビデオデータとオーディオデータとを対応させて記録する場合について説明する。
図９（Ｂ）は、ビデオデータとオーディオデータとを対応させて記録した場合の磁気テープの記録状態を説明するための図である。
「素材１」を磁気テープに記録するには、図８を参照して前述した磁気テープのビデオセクタＴＶにビデオデータＶ（１）が２回繰り返して記録される。また、磁気テープの１ＣＨのオーディオセクタＴＡに、オーディオデータＡ１（１）に続いてオーディオデータＡ３（１）が記録される。また、磁気テープの２ＣＨのオーディオセクタＴＡに、オーディオデータＡ２（１）に続いてオーディオデータＡ４（１）が記録される。
【００４６】
ここで、前半のビデオデータＶ（１）およびオーディオデータＡ１（１），Ａ２（１）の先頭と後半のビデオデータＶ（１）およびオーディオデータＡ３（１），Ａ４（１）の先頭とには糊代部８０が記録される。
【００４７】
次に、「素材２」を磁気テープに記録するには、磁気テープのビデオセクタＴＶにビデオデータＶ（２）が記録され、１ＣＨのオーディオセクタＴＡにオーディオデータＡ１（２）が記録され、２ＣＨのオーディオセクタＴＡにオーディオデータＡ２（２）が記録される。
磁気テープにおける「素材１」の記録領域と、「素材２」の記録領域との間には、別途記録されていた「素材２」と同じサンプリング周波数の糊代素材８３が記録してある。ここで、別途記録された糊代素材８３を用いないで、「素材２」をそのまま糊代部として使用するようにしてもよい。
また、ビデオデータＶ（２）はオーディオデータＡ１（２），Ａ２（２）に比べて記録時間が短いため、ビデオデータＶ（２）の記録領域と糊代部８６との間には、データが記録されていない空白領域８５が存在する。
【００４８】
次に、「素材３」を磁気テープに記録するには、磁気テープのビデオセクタＴＶにビデオデータＶ（３）が記録され、１ＣＨのオーディオセクタＴＡにオーディオデータＡ１（３）が記録され、２ＣＨのオーディオセクタＴＡにオーディオデータＡ２（３）が記録される。
磁気テープにおける「素材２」の記録領域と、「素材３」の記録領域との間には、糊代部８６が記録してある。また、ビデオデータＶ（２）はオーディオデータＡ１（２），Ａ２（２）に比べて記録時間が長いため、オーディオデータＡ１（２），Ａ２（２）の後方には、空白領域８７が存在する。
図９（Ｂ）に示す例では、ビデオデータとオーディオデータとが対応して近傍に記録されているので、素材の管理が容易になる。
【００４９】
次に、磁気テープに、ビデオデータおよびオーディオデータを詰めて記録する場合について説明する。
図９（Ｃ）は、ビデオデータおよびオーディオデータを詰めて記録した場合の磁気テープの記録状態を説明するための図である。
「素材１」を磁気テープに記録するには、図８を参照して前述した磁気テープのビデオセクタＴＶにビデオデータＶ（１）が記録され、それに続いてビデオデータＶ（２）が記録される。また、磁気テープの１ＣＨのオーディオセクタＴＡに、オーディオデータＡ１（１）に続いてオーディオデータＡ３（１）が記録される。また、磁気テープの２ＣＨのオーディオセクタＴＡに、オーディオデータＡ２（１）に続いてオーディオデータＡ４（１）が記録される。
【００５０】
ここで、ビデオデータＶ（１）およびオーディオデータＡ１（１），Ａ２（１）の先頭と後半のビデオデータＶ（２）およびオーディオデータＡ３（１），Ａ４（１）の先頭とには糊代部８０が記録される。
【００５１】
次に、「素材３」を磁気テープに記録するには、磁気テープのビデオセクタＴＶに、ビデオデータＶ（２）に続いてビデオデータＶ（３）が記録され、１ＣＨのオーディオセクタＴＡにオーディオデータＡ３（１）に続いてオーディオデータＡ１（２）が記録され、２ＣＨのオーディオセクタＴＡにオーディオデータＡ４（１）に続いてオーディオデータＡ２（２）が記録される。
磁気テープにおけるオーディオデータＡ３（１），Ａ４（１）とオーディオデータＡ１（２），Ａ２（２）との間には、別途記録されていた「素材２」と同じサンプリング周波数の糊代素材８３が記録してある。ここで、別途記録された糊代素材８３を用いないで、「素材２」をそのまま糊代部として使用するようにしてもよい。一方、ビデオデータＶ（２）とビデオデータＶ（３）とは詰められて記録され、これらの間には糊代部は記録されない。
【００５２】
オーディオデータＡ１（２），Ａ２（２）の後方には、糊代部８６を介して、オーディオデータＡ１（３），Ａ２（３）が記録される。
このように図９（Ｃ）に示す例では、ディスクユニット２０からの素材は、前詰めにされて磁気テープに記録され、磁気テープの使用効率を高めることができる。
【００５３】
ＶＴＲ／ＤＩＳＫ制御部１４は、上述したようにディスクユニット２０のハードディスクからＶＴＲ５０の磁気テープに記録されたデータをディスクユニット２０に再び戻す処理を、図８（Ｃ）に示したサブコード内のタイムコードを基準として、図９（Ａ）に示すようなデータ構造を再び復元して行う。
【００５４】
次に、図３に示すディスク制御部１６のディスク制御ＣＰＵブロック１６２において行われるクロスフェード処理およびフェードアウト／フェードイン処理を詳細に説明する。
前述したように、クロスフェード処理およびフェードアウト／フェードイン処理は、オーディオデータについて、素材のつなぎ目に生じるノイズを抑制するために行われる。
これらの処理は、ディスクユニット２０に書き込まれた下地素材のオーディオデータと既にディスクユニット２０に書き込まれているつなぎ録り素材のオーディオデータとを用いて行われる。
【００５５】
先ず、クロスフェード処理について説明する。
図１０は、クロスフェード処理を説明するための図である。
図１０（Ａ）はディスクユニット２０に記録された下地素材のオーディオデータを示しており、図１０（Ｂ）はディスクユニット２０に予め記録されているつなぎ録り素材のオーディオデータを示している。
このようなクロスフェード処理は、図９中「＊」によって示される素材記録の開始および終了点に処理データを付加するように行われる。
【００５６】
このクロスフェード処理では、図１０（Ａ）に示す下地素材のフレームの開始位置からの所定量のオーディオデータ、例えばフレーム開始から１サンプルおきに２５６サンプルのオーディオデータが抽出されてディスク制御部１６のバッファＲＡＭ１６５に書き込まれる。また、図１０（Ｂ）に示すつなぎ録り素材のフレームの開始位置からの下地素材と等しい所定量のオーディオデータ、例えばフレーム開始から１サンプルおきに２５６サンプルのオーディオデータがバッファＲＡＭ１６５に書き込まれる。
【００５７】
次に、バッファＲＡＭ１６５に書き込まれたオーディオデータを用いてディスク制御ＣＰＵブロック１６２のＣＰＵ１６２ａによって、下記式（１）〜（３）に示す演算処理が行われて、下地素材のオーディオデータをつなぎ録り素材のオーディオデータに切り替えるための切替用オーディオのデータが生成される。
【００５８】
【数１】
ＦＣＡ＝（２５６−ｎc ) ×Ｌ１（ｎc ）／２５６    …（１）
【００５９】
【数２】
ＦＣＢ＝ｎ×Ｌ２（ｎc ）／２５６                  …（２）
【００６０】
【数３】
ＦＣ＝ＦＣＡ＋ＦＣＢ                              …（３）
【００６１】
ここで、変数ｎc はｎc ＝１〜２２５である。また、Ｌ１（ｎc ）は位置ｎc のときの下地素材のオーディオデータ値であり、Ｌ２（ｎc ）は位置ｎc のときのつなぎ録り素材のオーディオデータ値である。
【００６２】
このように、下地素材のオーディオデータから算出されたクロスフェード用のデータＦＣＡ（図１０（Ａ）の破線で示す）は時間の経過と共にデータ値が減衰される。また、つなぎ録り素材のオーディオデータから算出されるクロスフェード用のデータＦＣＢ（図１０（Ｂ）の破線で示す）は時間の経過と共に略「０」レベルからつなぎ録り素材のデータ値まで増加される。
【００６３】
この下地素材に基づくデータＦＣＡおよびつなぎ録り素材に基づくデータＦＣＢを加算することで、図１０（Ｃ）に示すような下地素材とつなぎ録り素材を連続するように切り替えることができる切替用オーディオデータＦＣが生成される。
【００６４】
次に、フェードアウト／フェードイン処理について説明する。
図１１（Ａ）はディスクユニット２０に記録された下地素材のフレームのオーディオデータを示しており、図１１（Ｂ）はディスクユニット２０に予め記録されているつなぎ録り素材のフレームのオーディオデータを示している。
このようなフェードアウト／フェードイン処理は、図９中「＊」によって示される素材記録の開始および終了点に処理データを付加するように行われる。
【００６５】
このフェードアウト／フェードイン処理では、図１１（Ａ）に示す下地素材の１番目のフレームの開始位置から所定量のオーディオデータ、例えばフレーム開始から１サンプルおきに２７サンプルのオーディオデータが抽出されてディスク制御部１６のバッファＲＡＭ１６５に書き込まれる。また、図１１（Ｂ）に示すつなぎ録り素材の最初のフレームの開始位置より所定時間経過後の位置から所定量のオーディオデータ、例えばフレーム開始位置より下地素材の１２８番目に相当する位置のオーディオデータから１サンプルおきに１２６サンプルのオーディオデータが抽出されてディスク制御部１６のバッファＲＡＭ１６５に書き込まれる。
【００６６】
次に、バッファＲＡＭ１６５に書き込まれたオーディオデータを用いて、ディスク制御ＣＰＵブロック１６２のＣＰＵ１６２ａによって、下記式（４），（５）に示す演算処理が行われて、フェードアウトデータＦＯおよびフェードインデータＦＩが生成される。
【００６７】
【数４】
ＦＯ＝（１２８−ｎo ）×Ｌ１（ｎo ）／１２８    …（４）
【００６８】
【数５】
ＦＩ＝ｎi ×Ｌ２（ｎi ）／１２７                …（５）
【００６９】
ここで、変数ｎo は、ｎo ＝１〜１２７であり、変数ｎi はｎi ＝１〜１２６である。また、ｎi ＝１はｎo ＝１２７の次のｎo ＝１２８の位置に相当するものである。また、変数Ｌ１（ｎo ）は位置ｎo のときの下地素材のオーディオデータ値であり、Ｌ２（ｎi ）は位置（ｎi ）のときのつなぎ録り素材のオーディオデータ値である。
【００７０】
このように、下地素材のオーディオデータのフェードアウトデータＦＯ（図１１（Ａ）の破線で示す）は、時間の経過と共にデータ値が減衰され、つなぎ録り素材のオーディオデータのフェードインデータＦＩ（図１１（Ｂ）の破線で示す）は、時間の経過と共にデータ値が減衰されていない状態に戻される。
【００７１】
この下地素材のフェードデータＦＯとつなぎ録り素材のフェードインデータＦＩを接続することで、図１１（Ｃ）に示すように下地素材のオーディオデータからつなぎ録り素材のオーディオデータに連続して切り替えることができる切替用オーディオデータＦＤが生成される。
【００７２】
なお、クロスフェード処理およびフェードアウト／フェードイン処理でのオーディオデータの抽出やサンプル数は上述の実施形態に限られるものではなく、例えば１サンプルおきにオーディオデータを抽出するものとしたが連続して抽出するものとしてもよい。また、クロスフェード処理およびフェードアウト／フェードイン処理を１フレームの半分の期間や１フレームの期間で完了するものとしてもよい。さらに、フェードアウト側とフェードイン側のサンプル数を変えることで、フェードアウトやフェードインの時間を可変することができる。
【００７３】
以上説明したように、編集装置１０によれば、特別にストリーマなどを用いることなく、ＶＴＲ５０を用いてディスクユニット２０に記録されたデータを磁気テープに記録させることができ、システム価格コストを下げることができる。
すなわち、安価な装置構成で、編集装置１０にバックアップ機能などを持たせることができる。
また、ディスク制御部１６において、クロスフェード処理や、フェードアウト／フェードイン処理を行うことで、磁気テープに退避したデータをディスクユニット２０に復帰する際に、記録素材のつなぎ目に生じるノイズを効果的に抑制することができる。
【００７４】
【発明の効果】
以上説明したように、本発明のデータ転送記録装置およびその方法によれば、特別にストリーマなどを用いることなく、ハードディスクなどのディスク状の記録媒体と磁気テープとの間で、オーディオデータおよびビデオデータの転送記録ができる。そのため、システム価格コストを下げることができる。
また、本発明のデータ転送記録装置およびその方法によれば、クロスフェード処理や、フェードアウト／フェードイン処理を行うことで、磁気テープに退避したデータをディスク状の記録媒体に復帰する際に、記録素材のつなぎ目に生じるノイズを効果的に抑制することができる。
【図面の簡単な説明】
【図１】図１は、本発明の実施形態の編集装置の構成図である。
【図２】図２は、図１に示すＶＴＲ／ＤＩＳＫ制御部の構成図である。
【図３】図３は、図１に示すディスク制御部の構成図である。
【図４】図４は、図１に示すＳＤＤＩインタフェース部の構成図である。
【図５】図５は、ＳＤＤＩフォーマットを説明するための図である。
【図６】図１に示すＶＴＲの構成図である。
【図７】図７は、磁気テープのフォーマットを示す図である。
【図８】図８は、オーディオセクタＴＡ、ビデオセクタＴＶ、およびサブコードセクタＴＳＣに記録されたデータの構成を示す図である。
【図９】図９は、図１におけるＶＴＲ／ＤＩＳＫ制御部における処理を詳細に説明するための図である。
【図１０】図１０は、クロスフェード処理を説明するための図である。
【図１１】図１１は、フェードアウト／フェードイン処理を説明するための図である。
【符号の説明】
１０…編集装置、１２…システム制御部、１４…ＶＴＲ／ＤＩＳＫ制御部、１６…ディスク制御部、１８…ＳＤＤＩインタフェース部、２０…ディスクユニット、２５…操作部、３０…表示部、５０…ＶＴＲ
【図１】
0003744092.tif 000002
【図２】
0003744092.tif 000003
【図３】
0003744092.tif 000004
【図４】
0003744092.tif 000005
【図５】
0003744092.tif 000006
【図６】
0003744092.tif 000007
【図７】
0003744092.tif 000008
【図８】
0003744092.tif 000009
【図９】
0003744092.tif 000010
【図１０】
0003744092.tif 000011
【図１１】
0003744092.tif 000012